(57)【要約】【課題】より簡単な構成で空間分解能の良い断層像を得ることが可能なＸ線ＣＴ装置を提供すること。【解決手段】Ｘ線を照射するＸ線管１２と、被検体Ｍを透過したＸ線を検出する検出セグメントがチャンネル方向に並べられたＸ線検出器２０と、Ｘ線焦点を円軌道に沿って回転させて被検体Ｍの多方向の投影データＤ１，Ｄ２を収集し、収集された投影データＤ１，Ｄ２に基づいて被検体Ｍの断層像を再構成する画像再構成部４３と、Ｘ線管１２とＸ線検出器２０との間に配置されたマスク機構３０とを備え、マスク機構３０は、Ｘ線による投影領域が検出セグメント２１の検出領域より小さくなるように形成された開口部３１ａがチャンネル方向に沿って複数個設けられたＸ線遮断部材製のマスク３１と、投影領域が検出領域内で移動するようにマスク３１を駆動する駆動機構３２とを備えている。【選択図】    図１
2004283343.tif 000002
【特許請求の範囲】
【請求項１】
Ｘ線焦点から被検体に向かってＸ線を照射するＸ線発生装置と、
上記被検体を透過したＸ線を検出する検出セグメントがチャンネル方向に並べられたＸ線検出器と、
上記Ｘ線焦点を円軌道に沿って回転させて上記被検体の多方向の投影データを収集し、収集された投影データに基づいて被検体の断層像を再構成する演算部と、
上記Ｘ線発生装置と上記Ｘ線検出器との間に配置されたマスク機構とを備え、
上記マスク機構は、上記Ｘ線による投影領域が上記検出セグメントの検出領域より小さくなるように形成された開口部が上記チャンネル方向に沿って複数個設けられたＸ線遮断部材製のマスクと、上記投影領域が上記検出領域内で移動するように上記マスクを駆動する駆動機構とを備えていることを特徴とするＸ線ＣＴ装置。
【請求項２】
上記マスクは、上記Ｘ線管と上記被検体との間に配置されていることを特徴とする請求項１に記載のＸ線ＣＴ装置。
【請求項３】
上記駆動機構は、上記開口部がスライス方向またはチャンネル方向の少なくとも一方の方向に沿って移動するように上記マスクを駆動することを特徴とする請求項１に記載のＸ線ＣＴ装置。
【請求項４】
上記駆動機構は、上記Ｘ線焦点が上記被検体の周囲を半回転する毎に上記マスクを駆動することを特徴とする請求項１記載のＸ線ＣＴ装置。
【請求項５】
上記Ｘ線発生装置は、上記マスクを駆動する間にＸ線の照射を停止することを特徴とする請求項４記載のＸ線ＣＴ装置。
【請求項６】
上記駆動機構は、上記Ｘ線焦点が上記被検体の周囲を半回転する間に、上記マスクを所定の周期で駆動させることを特徴とする請求項１記載のＸ線ＣＴ装置。
【請求項７】
上記駆動の周期は、上記投影データを収集するサンプリング周波数と同じ振動数または整数分の１の振動数であることを特徴とする請求項６記載のＸ線ＣＴ装置。
【請求項８】
上記開口部のピッチは、上記Ｘ線管のＸ線焦点から見たときに、上記検出器のピッチと一致することを特徴とする請求項１記載のＸ線ＣＴ装置。
【請求項９】
上記マスクは、上記Ｘ線発生装置によるＸ線照射領域外へ退避可能に構成されていることを特徴とする請求項１記載のＸ線ＣＴ装置。
【請求項１０】
上記マスクは、複数に分割されていることを特徴とする請求項１に記載のＸ線ＣＴ装置。
【請求項１１】
上記マスクは、スライス方向に往復動する第１マスクと、チャンネル方向に往復動する第２マスクとを備えていることを特徴とする請求項１記載のＸ線ＣＴ装置。
【請求項１２】
Ｘ線焦点から被検体に向かってＸ線を照射するＸ線発生装置と、
上記被検体を透過したＸ線を検出する検出セグメントがチャンネル方向に並べられた検出セグメント列を有するＸ線検出器と、
上記Ｘ線焦点を円軌道に沿って回転させて上記被検体の多方向の投影データを収集するデータ収集部と、
収集された投影データに基づいて被検体の断層像を再構成する演算部とを備え、
上記データ収集部は、複数の検出セグメントの出力に接続されるとともに、その入力を選択的に切換可能に形成された切換回路とを備えていることを特徴とするＸ線ＣＴ装置。
【請求項１３】
上記複数の検出セグメントは、相互にスライス方向またはチャンネル方向の少なくとも一方の方向に沿って隣接していることを特徴とする請求項１２に記載のＸ線ＣＴ装置。
【請求項１４】
上記切換回路は、上記Ｘ線焦点が上記被検体の周囲を半回転する毎に入力する検出セグメントを切り換えることを特徴とする請求項１２に記載のＸ線ＣＴ装置。
【請求項１５】
上記Ｘ線発生装置は、上記切換回路による切換をする間にＸ線の照射を停止することを特徴とする請求項１２に記載のＸ線ＣＴ装置。
【請求項１６】
上記切換回路は、上記Ｘ線焦点が上記被検体の周囲を半回転する間に、入力の切り換えを所定の周期で行うことを特徴とする請求項１２に記載のＸ線ＣＴ装置。
【請求項１７】
上記切換回路による入力の切り換えの周期は、上記投影データを収集するサンプリング周波数と同じ振動数または整数分の１の振動数であることを特徴とする請求項１２に記載のＸ線ＣＴ装置。
【請求項１８】
Ｘ線焦点から被検体に向かってＸ線を照射するＸ線照射工程と、
上記Ｘ線の投影領域が検出セグメントの検出領域より小さくなるように開口部が形成されたマスクによって上記Ｘ線を選択的に透過させるＸ線透過工程と、
上記投影領域が上記検出領域内で移動するように上記マスクを駆動する駆動工程と、
上記Ｘ線焦点を円軌道に沿って回転させて上記被検体の多方向の投影データを上記検出セグメントにより収集する投影データ収集工程と、
収集された投影データに基づいて上記被検体の断層像を再構成する演算工程とを備えていることを特徴とするデータ収集方法。
【請求項１９】
Ｘ線焦点から被検体に向かってＸ線を照射するＸ線照射工程と、
上記Ｘ線焦点を円軌道に沿って回転させて上記被検体の多方向の投影データを収集するデータ収集工程と、
収集された投影データに基づいて被検体の断層像を再構成する演算部とを備え、
上記データ収集工程は、複数の検出セグメントからの入力を選択的に切り換える入力切換工程を備えていることをことを特徴とするデータ収集方法。
【発明の詳細な説明】
【０００１】
【発明の属する技術分野】
本発明は、Ｘ線ＣＴ装置及びデータ収集方法に関し、特に高解像度化及びＸ線被曝量低減を実現することができるものに関する。
【０００２】
【従来の技術】
Ｘ線ＣＴ装置は、医用診断装置の重要な一つとして急速に普及している。このようなＸ線ＣＴ装置では、Ｘ線管から照射されたＸ線が被検体（一般的には患者）を透過し、透過したＸ線は複数の検出セグメントが配列するＸ線検出器によって、電荷に変換され画像化される。ところで、この種のＸ線ＣＴ装置の空間分解能は、検出器における隣接する検出セグメント間距離に依存する。したがって、検出セグメントを微細加工し、この検出セグメント間距離を小さくすれば、空間分解能が向上するのであるが、検出セグメントの微細化には限界がある。
【０００３】
このため、検出セグメントの大きさを変えずに、つまり検出セグメント間距離を変えずに、空間分解能を向上させるための技術が知られている（特許文献１，２参照）。具体的には、検出セグメントの開口を制限するマスクを検出器前面（被検体とＸ線検出器との間）に配置し、このマスクをＸ線検出器のスライス方向（体軸方向）からマスクを出し入れするもの等である。
【０００４】
なお、最近のＸ線ＣＴ装置の開発は、検出器の大面積化（コーンビームＣＴ検出器、ボリュウムＣＴ検出器）、高解像度化、高速化（リアルタイム化）とＸ線被曝量の低減が旬目的となっている。
【０００５】
【特許文献１】
特開２００２−３０１０５６号公報
【０００６】
【特許文献２】
特開平６−１６９９１１号公報
【０００７】
【発明が解決しようとする課題】
上述したＸ線ＣＴ装置であると次のような問題があった。すなわち、被検体を透過してきた貴重な投影データを有するＸ線をマスクで遮断してＸ線検出器に入射させることは、結果的に被検体への被曝を増大させる虞があった。
【０００８】
また、被検体の体軸（スライス）方向にＸ線検出器のサイズが大きい場合に、マスクを使わないで投影データを取得する際に、マスクの収納スペースの確保が困難であった。
【０００９】
そこで本発明は、より簡単な構成で空間分解能の良い断層像を得ることが可能なＸ線ＣＴ装置及びデータ収集方法を提供することを目的する。
【００１０】
【課題を解決するための手段】
上記課題を解決し目的を達成するために、本発明のＸ線ＣＴ装置及びデータ収集方法は次のように構成されている。
【００１１】
（１）Ｘ線焦点から被検体に向かってＸ線を照射するＸ線発生装置と、上記被検体を透過したＸ線を検出する検出セグメントがチャンネル方向に並べられたＸ線検出器と、上記Ｘ線焦点を円軌道に沿って回転させて上記被検体の多方向の投影データを収集し、収集された投影データに基づいて被検体の断層像を再構成する演算部と、上記Ｘ線発生装置と上記Ｘ線検出器との間に配置されたマスク機構とを備え、上記マスク機構は、上記Ｘ線による投影領域が上記検出セグメントの検出領域より小さくなるように形成された開口部が上記チャンネル方向に沿って複数個設けられたＸ線遮断部材製のマスクと、上記投影領域が上記検出領域内で移動するように上記マスクを駆動する駆動機構とを備えていることを特徴とする。
【００１２】
（２）上記（１）に記載されたＸ線ＣＴ装置であって、上記マスクは、上記Ｘ線管と上記被検体との間に配置されていることを特徴とする。
【００１３】
（３）上記（１）に記載されたＸ線ＣＴ装置であって、上記駆動機構は、上記開口部がスライス方向またはチャンネル方向の少なくとも一方の方向に沿って移動するように上記マスクを駆動することを特徴とする。
【００１４】
（４）上記（１）に記載されたＸ線ＣＴ装置であって、上記駆動機構は、上記Ｘ線焦点が上記被検体の周囲を半回転する毎に上記マスクを駆動することを特徴とする。
【００１５】
（５）上記（４）に記載されたＸ線ＣＴ装置であって、上記Ｘ線発生装置は、上記マスクを駆動する間にＸ線の照射を停止することを特徴とする。
【００１６】
（６）上記（１）に記載されたＸ線ＣＴ装置であって、上記駆動機構は、上記Ｘ線焦点が上記被検体の周囲を半回転する間に、上記マスクを所定の周期で駆動させることを特徴とする。
【００１７】
（７）上記（６）に記載されたＸ線ＣＴ装置であって、上記駆動の周期は、上記投影データを収集するサンプリング周波数と同じ振動数または整数分の１の振動数であることを特徴とする。
【００１８】
（８）上記（１）に記載されたＸ線ＣＴ装置であって、上記開口部のピッチは、上記Ｘ線管のＸ線焦点から見たときに、上記検出器のピッチと一致することを特徴とする。
【００１９】
（９）上記（１）に記載されたＸ線ＣＴ装置であって、上記マスクは、上記Ｘ線発生装置によるＸ線照射領域外へ退避可能に構成されていることを特徴とする。
【００２０】
（１０）上記（１）に記載されたＸ線ＣＴ装置であって、上記マスクは、複数に分割されていることを特徴とする。
【００２１】
（１１）上記（１）に記載されたＸ線ＣＴ装置であって、上記マスクは、スライス方向に往復動する第１マスクと、チャンネル方向に往復動する第２マスクとを備えていることを特徴とする。
【００２２】
（１２）Ｘ線焦点から被検体に向かってＸ線を照射するＸ線発生装置と、上記被検体を透過したＸ線を検出する検出セグメントがチャンネル方向に並べられた検出セグメント列を有するＸ線検出器と、上記Ｘ線焦点を円軌道に沿って回転させて上記被検体の多方向の投影データを収集するデータ収集部と、収集された投影データに基づいて被検体の断層像を再構成する演算部とを備え、上記データ収集部は、複数の検出セグメントの出力に接続されるとともに、その入力を選択的に切換可能に形成された切換回路とを備えていることを特徴とする。
【００２３】
（１３）上記（１２）に記載されたＸ線ＣＴ装置であって、上記複数の検出セグメントは、相互にスライス方向またはチャンネル方向の少なくとも一方の方向に沿って隣接していることを特徴とする。
【００２４】
（１４）上記（１２）に記載されたＸ線ＣＴ装置であって、上記切換回路は、上記Ｘ線焦点が上記被検体の周囲を半回転する毎に入力する検出セグメントを切り換えることを特徴とする。
【００２５】
（１５）上記（１２）に記載されたＸ線ＣＴ装置であって、上記Ｘ線発生装置は、上記切換回路による切換をする間にＸ線の照射を停止することを特徴とする。
【００２６】
（１６）上記（１２）に記載されたＸ線ＣＴ装置であって、上記切換回路は、上記Ｘ線焦点が上記被検体の周囲を半回転する間に、入力の切り換えを所定の周期で行うことを特徴とする。
【００２７】
（１７）上記（１２）に記載されたＸ線ＣＴ装置であって、上記切換回路による入力の切り換えの周期は、上記投影データを収集するサンプリング周波数と同じ振動数または整数分の１の振動数であることを特徴とする。
【００２８】
（１８）Ｘ線焦点から被検体に向かってＸ線を照射するＸ線照射工程と、上記Ｘ線の投影領域が検出セグメントの検出領域より小さくなるように開口部が形成されたマスクによって上記Ｘ線を選択的に透過させるＸ線透過工程と、上記投影領域が上記検出領域内で移動するように上記マスクを駆動する駆動工程と、上記Ｘ線焦点を円軌道に沿って回転させて上記被検体の多方向の投影データを上記検出セグメントにより収集する投影データ収集工程と、収集された投影データに基づいて上記被検体の断層像を再構成する演算工程とを備えていることを特徴とする。
【００２９】
（１９）Ｘ線焦点から被検体に向かってＸ線を照射するＸ線照射工程と、上記Ｘ線焦点を円軌道に沿って回転させて上記被検体の多方向の投影データを収集するデータ収集工程と、収集された投影データに基づいて被検体の断層像を再構成する演算部とを備え、上記データ収集工程は、複数の検出セグメントからの入力を選択的に切り換える入力切換工程を備えていることをことを特徴とする。
【００３０】
【発明の実施の形態】
図１は本発明の第１の実施の形態に係るＸ線ＣＴ装置１０の構成を模式的に示す図である。Ｘ線ＣＴ装置１０は、架台１１と、この架台１１に取付けられ被検体Ｍの周囲を円軌道に沿って回転するとともにＸ線を照射するＸ線管（Ｘ線発生装置）１２と、被検体Ｍを透過したＸ線を検出するＸ線検出器２０と、Ｘ線管１２と被検体Ｍとの間に配置されたマスク機構３０と、これらの各装置を制御する制御部４０とを備えている。
【００３１】
Ｘ線検出器２０は、チャンネル方向（図中矢印Ｃ方向）に並べられた複数の検出セグメント２１を備えている。検出器２１は、入射したＸ線をシンチレータブロックによりシンチレータ光に変換し、このシンチレータ光をフォトダイオードで検出し、電気信号として出力する機能を有している。なお、図中矢印Ｓ方向、すなわち被検体Ｍの体軸方向はスライス方向である。
【００３２】
マスク機構３０は、マスク３１と、このマスク３１を図中矢印Ｃ方向に往復動させる駆動機構３２とを備えている。マスク３１には、矢印Ｓ方向が長辺で矢印Ｃ方向が短辺の長方形状の開口部３１ａが形成されている。マスク３１の開口部３１ａは、検出セグメント２１のチャンネル方向の数と同数だけ設けられており、そのピッチは、Ｘ線管１２のＸ線焦点から見た場合に検出セグメント２１のピッチと同一となるように形成されている。
【００３３】
制御部４０は、架台１１の回転、Ｘ線管１２の照射、Ｘ線検出器２０の検出、後述するデータ収集部４２の制御を行う中央制御部４１と、Ｘ線検出器２０で検出された投影データを収集するデータ収集部４２と、収集された投影データに基づいて断層像を再構成する画像再構成部４３と、再構成された断層像を表示する表示部４４とを備えている。
【００３４】
このように構成されたＸ線ＣＴ装置１０によれば、次のようにして投影データの収集、断層像の再構成及び表示が行われる。最初に、マスク機構３０の駆動機構３２を作動させ、開口部３１ａと検出セグメント２１のＡ領域が対応する位置、すなわち、Ｘ線管１２のＸ線焦点を出発点として開口部３１ａを通る線が検出セグメント２１のＡ領域に到達するように位置決めする。
【００３５】
次に、Ｘ線管１２のＸ線焦点を中心としてファンビームとしてＸ線を照射する。マスク３１に到達したＸ線は開口部３１ａを透過し、被検体Ｍに曝射される。さらに被検体Ｍを透過し、被検体Ｍの情報を含んだ強度を持つＸ線は、図３の（ａ）に示すように、Ｘ線検出器２０の検出セグメント２１のＡ領域にのみ照射される（図中Ｐ参照）。この状態でＸ線管１２、マスク機構３０及びＸ線検出器２０は被検体Ｍの周囲を円軌道に沿って回転する。１８０°回転することにより、断層像を再構成するための投影データＤ１がデータ収集部４２に収集される。
【００３６】
次に、Ｘ線管１２からのＸ線照射を停止し、マスク機構３０の駆動機構３２を図中矢印Ｃ方向に作動させ、開口部３１ａと検出セグメント２１のＢ領域が対応する位置、すなわち、Ｘ線管１２のＸ線焦点を出発点として開口部３１ａを通る線が検出セグメント２１のＢ領域に到達するように位置決めする。
【００３７】
そして、Ｘ線管１２のＸ線焦点を中心としてファンビームとしてＸ線を照射する。マスク３１に到達したＸ線は開口部３１ａを透過し、被検体Ｍに曝射される。さらに被検体Ｍを透過し、被検体Ｍの情報を含んだ強度を持つＸ線は、Ｘ線検出器２０の検出セグメント２１のＢ領域に照射される（図中Ｐ参照）。この状態でＸ線管１２、マスク機構３０及びＸ線検出器２０は被検体Ｍの周囲を円軌道に沿って回転する。１８０°回転することにより、断層像を再構成するための投影データＤ２がデータ収集部４２に収集される。
【００３８】
データ収集部４２に収集された投影データＤ１と投影データＤ２は、画像再構成部４３に送られ、断層像が再構成され、表示部４４で表示される。このとき、投影データＤ１と投影データＤ２とは、検出セグメント２１のＡ領域及びＢ領域に相当するものであることから、検出セグメント２１の１／２の面積を有する分解能の高い仮想的な検出セグメントから投影データが得られることと等価となる。このため、Ｘ線検出器２０において解像度が２倍となったものと同等となる。このため、検出セグメント２１の微細加工を行うことなく、分解能を向上させることが可能となる。
【００３９】
一方、マスク３１が被検体ＭよりもＸ線管１２側に配置されていることから、被検体Ｍに照射されたＸ線は全て検出セグメント２１に入射することなる。すなわち、被検体Ｍには捨ててしまうＸ線を照射することが無いため、被検体Ｍの被曝量を低減できる。
【００４０】
なお、上述した例では、マスク３１をＸ線管１２が１８０°回転した時点で駆動するようにしたが、例えば１つの投影データを取得する毎にマスク３１を往復動させるようにしても同様の効果を得ることができる。この場合も、マスク３１が移動している期間ではＸ線管１２によるＸ線照射を停止する。また、マスク３１を往復動させるタイミングとしては、投影データを収集するサンプリング周波数と同じ振動数または整数分の１の振動数とすることにより、投影データの取りこぼしが生じなくなる。
【００４１】
一方、マスク３１を移動する際にＸ線照射を停止させないで、検出セグメント２１において連続的に投影データを取得し、その投影データに基づいて断層像を再構成させるようにしてもよい。
【００４２】
上述したように本実施の形態に係るＸ線ＣＴ装置１０によれば、分解能が低い検出セグメント２１を用いたＸ線検出器２０を用いた場合であっても、高い分解能を有する仮想的な検出セグメントを多数個配置したものと等価な高解像度を得ることができる。
【００４３】
また、マスク３１をＸ線管１２と被検体Ｍとの間から退避させるような構造とすれば、検出セグメント２１自身の持つ分解能で投影データを取得することができることとなり、上述した高解像度の投影データを取得する場合と組み合わせることにより、比較的単純な構造で標準モードと高解像度モードの切換えが可能となる。
【００４４】
なお、上述した開口部３１ａは長方形としたが、例えば楕円形としても同様の効果を得ることができる。
【００４５】
図４の（ａ），（ｂ）は、上述したＸ線ＣＴ装置１０の第１変形例を示す説明図である。本変形例においては、マスク機構３０の代わりにマスク機構５０を用いている。マスク機構５０は、第１マスク５１及びこの第１マスク５１を図４中矢印Ｃ方向に往復動させる第１駆動機構５２と、第２マスク５３及びこの第２マスク５３を図４中矢印Ｓ方向に往復動させる第２駆動機構５４とを備えている。第１マスク５１と第２マスク５３とはＸ線管１２からのＸ線照射方向に対して積層されて配置されている。
【００４６】
第１マスク５１には、Ｓ方向が長辺でＣ方向が短辺の長方形状の開口部５１ａが形成されている。また、第２マスク５３には、Ｓ方向が短辺でＣ方向が長辺の長方形状の開口部５３ａが形成されている。これら開口部５１ａ，５３ａの面積はそれぞれ検出セグメント２１のほぼ１／２に対応する面積となっており、開口部５１ａ，５３ａを透過できるのは、検出セグメント２１の１／４に対応する面積となる。
【００４７】
第１駆動機構５２と第２駆動機構５４とは、互いに連動して動作するように制御されており、それぞれ往復動が行われる。したがって、これにより、検出セグメント２１のＡ領域〜Ｄ領域の順でＸ線が照射されるように、開口部５１ａ，５３ａの位置が移動することとなる。したがって、検出セグメント２１の１／４の面積の検出セグメントがある場合と等価となり、より分解能が高い検出セグメント２１を配置した場合と同等の効果を得ることができる。
【００４８】
図５の（ａ），（ｂ）は、上述したＸ線ＣＴ装置１０の第２変形例を示す説明図である。本変形例においては、マスク機構３０の代わりにマスク機構６０を用いている。マスク機構６０は、マスク６１と、このマスク６１を図中矢印Ｓ，Ｃ方向に往復動させる駆動機構６２とを備えている。マスク６１には、円形の開口部６１ａが形成されている。なお、ここでは開口部６１ａを円形としたが、正方形としてもよい。
【００４９】
図５の（ａ）に示すように、円形状の開口を形成したマスク６１を図中矢印Ｓ，Ｃ方向にそれぞれ往復動させて４つのポジションで位置決めすることで、第１変形例と同様に、検出セグメント２１のＡ領域〜Ｄ領域の順でＸ線が照射されるように、開口部６１ａの位置が移動することとなる。したがって、検出セグメント２１の１／４の面積の検出セグメントがある場合と等価となり、より分解能が高い検出セグメント２１を配置した場合と同等の効果を得ることができる。
【００５０】
図６の（ａ），（ｂ）は、上述したＸ線ＣＴ装置１０の第３変形例を示す説明図である。本変形例においては、マスク機構３０の代わりにマスク機構７０を用いている。マスク機構７０は、マスク７１と、このマスク７１を図中矢印Ｃ方向に往復動させるとともに収納動作を行う駆動機構７２とを備えている。マスク７１は図中矢印Ｃ方向に分割された５つの分割マスク７１ａ〜７１ｅから構成されており、それぞれ上述したマスク３１と同様の開口部が設けられている。なお、分割マスク７１ａ〜７１ｅはギアの切換え、クラッチ等を利用して１つの駆動機構７２により退避・収納できるように構成されている。この他、分割マスク７１ａ〜７１ｅ毎にそれぞれ駆動機構を持つようにしてもよい。
【００５１】
このように構成されていると、マスク７１を複数に分割して収納することが可能となるので全体を省スペース化でき、Ｘ線ＣＴ装置１０の大型化を防止することが可能となる。
【００５２】
図７の（ａ），（ｂ）は、上述したＸ線ＣＴ装置１０の第４変形例を示す説明図である。本変形例においては、マスク機構３０の代わりにマスク機構８０を用いている。マスク機構８０は、マスク８１と、このマスク８１を図中矢印Ｓ方向に往復動させるとともに収納動作を行う駆動機構８２とを備えている。マスク８１は図中矢印Ｓ方向に分割された５つの分割マスク８１ａ〜８１ｆから構成されており、それぞれ上述したマスク３１と同様の開口部が設けられている。いる。なお、分割マスク８１ａ〜８１ｆはギアの切換え、クラッチ等を利用して１つの駆動機構８２により退避・収納できるように構成されている。この他、分割マスク８１ａ〜８１ｆ毎にそれぞれ駆動機構を持つようにしてもよい。
【００５３】
このように構成されていると、マスク８１を複数に分割して収納することが可能となるので全体を省スペース化でき、Ｘ線ＣＴ装置１０の大型化を防止することが可能となる。なお、Ｘ線管１２から分割マスク８１ａ〜８１ｆまでの距離が異なっているので、それぞれの開口部の寸法を検出セグメント２１の所望のサイズに合うように設計されている。
【００５４】
図８は本発明の第２の実施の形態に係るＸ線ＣＴ装置１０に組み込まれたＸ線検出器１００の要部を示す説明図である。図８において図１及び図２と同一機能部分には同一符号を付し、その詳細な説明は省略する。
【００５５】
すなわち、検出セグメント２１が十分高い分解能を有している場合には、隣接する一対の検出セグメント２１（α及びβ）の出力をスイッチング素子１０１を介してデータ収集部４２に送る。すなわち、データ収集部４２においては、α側のみの出力、β側のみの出力、または（α＋β）の合計出力を得ることができる。これにより、検出セグメント２１の分解能を標準と高解像度とで切換えが可能となる。すなわち、（α＋β）の信号として取り出すことで、解像度を少し落としながら、高速化を優先する標準的なモードが可能となる。一方、αまたはβによる投影データを、ある時間ずらしたタイミングで収集することで、高解像度モードを実現できる。なお、αとβとの切り換えは、１枚の断層像が得られる毎（例えば１８０°）に切り換えても良く、またある周波数でスイッチングしながらデータ収集するようにしてもよい。
【００５６】
上述したように本実施の形態に係るＸ線ＣＴ装置１０によれば、スイッチング素子１０１を設けることにより、データ収集部への１つの入力で複数の検出セグメント分の出力を処理することができ、実際の検出セグメント２１の数に対して少ない処理回路でシステムを構成でき、コンパクトでかつ比較的安価で製造が可能となる。
【００５７】
なお、本発明は上記実施の形態に限定されるものではなく、本発明の要旨を逸脱しない範囲で種々変形実施可能であるのは勿論である。
【００５８】
【発明の効果】
本発明によれば、より簡単な構成で空間分解能の良い断層像を得ることが可能となる。
【図面の簡単な説明】
【図１】本発明の第１の実施の形態に係るＸ線ＣＴ装置の構成を示す図。
【図２】同Ｘ線ＣＴ装置の要部を示す図であって、（ａ）はマスク機構を示す説明図、（ｂ）は検出セグメントを示す平面図。
【図３】同マスク機構と検出セグメントとの関係を示す説明図。
【図４】同Ｘ線ＣＴ装置の第１変形例の要部を示す図であって、（ａ）はマスク機構を示す説明図、（ｂ）は検出セグメントを示す平面図。
【図５】同Ｘ線ＣＴ装置の第２変形例の要部を示す図であって、（ａ）はマスク機構を示す説明図、（ｂ）は検出セグメントを示す平面図。
【図６】同Ｘ線ＣＴ装置の第３変形例を示す説明図。
【図７】同Ｘ線ＣＴ装置の第４変形例を示す説明図。
【図８】本発明の第２の実施の形態に係るＸ線ＣＴ装置の動作原理を示す説明図。
【符号の説明】
１０…Ｘ線ＣＴ装置、１２…Ｘ線管（Ｘ線発生装置）、２０…Ｘ線検出器、２１…検出セグメント、３０，５０，６０，７０，８０…マスク機構、４０…制御部
【図１】
2004283343.tif 000003
【図２】
2004283343.tif 000004
【図３】
2004283343.tif 000005
【図４】
2004283343.tif 000006
【図５】
2004283343.tif 000007
【図６】
2004283343.tif 000008
【図７】
2004283343.tif 000009
【図８】
2004283343.tif 000010